(57)【要約】【課題】乗客運搬装置のインナーデッキの取付において、インナーデッキ取付部に対する保護カバーの倒れ込みを抑制して取付作業性を向上させることである。【解決手段】乗客運搬装置の欄干部の下方側に設けられるインナーデッキ取付部に取付ボルトを用いて端部が取り付けられるインナーデッキの取付作業を支援する作業支援治具は、挟み治具１１０と、固定治具と、接続紐１３０を含む。挟み治具１１０は、インナーデッキ取付部７０の取付ボルトを覆っている長尺の保護カバー６０の端部６２を挟むための挟み部を一方端に有し、他方側に挟み操作部を有する。固定治具は、欄干部２０に対し固定される。接続紐１３０は、挟み治具１１０の挟み操作部と固定治具との間を接続する。固定治具は、欄干部の手摺に固定される手摺側固定部１００が用いられる。手摺側固定部１００に代えて吸盤を用いてもよい。【選択図】図２
2019218191.tif 000002
【特許請求の範囲】
【請求項１】
乗客運搬装置の欄干部の下方側に設けられるインナーデッキ取付部に長尺のインナーデッキを取り付ける方法であって、
前記欄干部に固定治具を取り付ける工程と、
一方端に挟み部を有し、他方側に挟み操作部を有する挟み治具を用い、前記インナーデッキ取付部の取付ボルトを覆っているインナーパッキングである長尺の保護カバーの端部を挟み部で挟む工程と、
前記固定治具と前記挟み治具の前記挟み操作部との間に接続紐を接続し、前記挟み治具を上方側に引き上げることで前記保護カバーの前記端部を持ち上げて前記取付ボルトを露出させる工程と、
前記取付ボルトに、前記インナーデッキのボルト嵌込溝を嵌め込む工程と、
前記取付ボルトを締め付けて前記インナーデッキを前記インナーデッキ取付部に固定する工程と、
を含む、乗客運搬装置のインナーデッキ取付方法。
【請求項２】
乗客運搬装置の欄干部の下方側に設けられるインナーデッキ取付部に長尺のインナーデッキを取り付ける方法であって、
前記欄干部の上方側に設けられる手摺の外形形状に対応する内面形状を有する手摺側固定部を前記手摺の外形形状に係合させて配置する工程と、
一方端に挟み部を有し、他方側に挟み操作部を有する挟み治具を用い、前記インナーデッキ取付部の取付ボルトを覆っているインナーパッキングである長尺の保護カバーの端部を挟み部で挟む工程と、
前記手摺側固定部と前記挟み治具の前記挟み操作部との間に、紐長さ調整部付きの接続紐を接続する工程と、
前記接続紐の前記紐長さ調整部を操作して前記挟み治具を上方側に引き上げることで前記保護カバーの前記端部を持ち上げて前記取付ボルトを露出させる工程と、
前記取付ボルトに、前記インナーデッキのボルト嵌込溝を嵌め込む工程と、
前記取付ボルトを締め付けて前記インナーデッキを前記インナーデッキ取付部に固定する工程と、
を含む、乗客運搬装置のインナーデッキ取付方法。
【請求項３】
前記インナーデッキは、少なくとも１つの長尺部材で構成され、１つの前記長尺部材は長手方向に沿った複数の溝配置箇所に前記ボルト嵌込溝がそれぞれ配置され、前記欄干部の下方側には、複数の前記溝配置箇所に対応する複数のボルト配置箇所に前記取付ボルトがそれぞれ設けられ、
前記手摺側固定部を配置する工程は、複数の前記ボルト配置箇所に対応して、前記手摺の長手方向に沿って複数の前記手摺側固定部を配置し、
前記挟み部でつかむ工程は、複数の前記ボルト配置箇所のそれぞれにおいて、複数の前記挟み治具を用いて長尺の前記保護カバーについて複数個所を挟み、
前記接続紐を接続する工程は、複数の前記ボルト配置箇所のそれぞれに対応する前記挟み治具の前記挟み操作部と前記手摺側固定部とをそれぞれ前記接続紐で接続し、
前記取付ボルトを露出させる工程は、複数の前記ボルト配置箇所のそれぞれに対応する前記接続紐の前記紐長さ調整部を調整して、複数の前記ボルト取付箇所における前記取付ボルトを露出させ、
前記ボルト嵌込溝を嵌め込む工程は、一人の作業員が１つの前記長尺部材を両手で持って、複数の前記ボルト配置箇所の全部について、前記取付ボルトにそれぞれ前記ボルト嵌込溝を一度に嵌め込む工程である、請求項２に記載の乗客運搬装置のインナーデッキ取付方法。
【請求項４】
乗客運搬装置の欄干部の下方側に設けられるインナーデッキ取付部に、取付ボルトを用いて取り付けられるインナーデッキの取付作業において、前記インナーデッキ取付部の前記取付ボルトを覆っているインナーパッキングである長尺の保護カバーの端部を持ち上げて前記取付ボルトを露出させるための支援治具であって、
前記保護カバーの前記端部を挟むための挟み部を一方端に有し、他方側に挟み操作部を有する挟み治具と、
前記欄干部に取り付けられた固定治具と、
前記固定治具と前記挟み治具の前記挟み操作部との間に設けられた接続紐と、
前記接続紐の紐長さ調整部であって、前記挟み治具を前記欄干部の上方側に引き上げて前記保護カバーの前記端部を持ち上げ前記取付ボルトを露出させる状態の紐長さとする調整機構を有する前記紐長さ調整部と、
を含む、乗客運搬装置のインナーデッキの取付作業支援治具。
【請求項５】
前記固定治具は、
前記欄干部の上方側の手摺の外形形状に対応する内面形状を有する手摺側固定部である、請求項４に記載の乗客運搬装置のインナーデッキの取付作業支援治具。
【請求項６】
前記手摺側固定部の前記内面形状は、
前記手摺におけるインナーデッキ側の側面の外形形状との係合代は、前記インナーデッキ側と反対側の側面の外形形状の係合代よりも小さく設定されている、請求項５に記載の乗客運搬装置のインナーデッキの取付作業支援治具。
【請求項７】
乗客運搬装置の欄干部の下方側に設けられるインナーデッキ取付部に、取付ボルトを用いて取り付けられるインナーデッキの取付作業において、前記インナーデッキ取付部の前記取付ボルトを覆っているインナーパッキングである長尺の保護カバーの端部を持ち上げて前記取付ボルトを露出させるための支援治具であって、
前記保護カバーの前記端部を挟むための挟み部を一方端に有し、他方側に挟み操作部を有する挟み治具と、
前記欄干部に対し吸着及び脱着が自在な吸盤である固定治具と、
前記固定治具と前記挟み治具の前記挟み操作部との間に設けられた接続紐と、
を含む、乗客運搬装置のインナーデッキの取付作業支援治具。
【請求項８】
前記挟み治具は、挟み状態を維持できる挟みロック機構付きのロッキングプライヤである、請求項４または請求項７に記載の乗客運搬装置のインナーデッキの取付作業支援治具。
【発明の詳細な説明】
【技術分野】
【０００１】
本開示は、乗客運搬装置のインナーデッキ取付方法、及び乗客運搬装置のインナーデッキの取付作業支援治具に関する。
【背景技術】
【０００２】
エスカレーターは、建物の上方階の乗降口と建物の下方階の乗降口との間に、複数のステップが無端状に接続された移動通路を設け、移動通路を駆動して乗客を運搬する乗客運搬装置である。エスカレーターは、移動通路の両側に欄干部が設けられ、欄干部の上部には移動通路と共に移動する無端状の手摺が設けられ、欄干部の下部には無端状の手摺が戻る空間を覆う金属製の板部材であるインナーデッキが設けられる。
【０００３】
本発明の関連技術として、特許文献１には、エスカレーターの手摺に関する保守作業において、手摺を支持する欄干部のガラスパネルを一時的に外して保持するために、手摺に固定される手摺側固定部と、手摺側固定部に支持されるパネル受部とを有するパネル保持具が開示されている。
【先行技術文献】
【特許文献】
【０００４】
【特許文献１】特開平９−１６５１８５号公報
【発明の概要】
【発明が解決しようとする課題】
【０００５】
インナーデッキは、欄干部の下部のインナーデッキ取付部に取付ボルトで締結されるが、締結箇所を覆うために欄干部の下部に沿って長尺の保護カバーが設けられている。保護カバーは、欄干部の下部とインナーデッキとの隙間を埋めるために柔軟で弾性を有する剛性ゴム等の材質で構成される。インナーデッキの取付は、保護カバーを持ち上げてインナーデッキ取付部にインナーデッキを配置し、取付ボルトで固定する作業となるが、保護カバーは弾性を有する長尺体であるので、取付作業において保護カバーが倒れ込み、作業がやりにくい。そこで、保護カバーの倒れ込みを抑制して取付作業性を向上できるインナーデッキの取付方法及びそれに適した支援治具が要望される。
【課題を解決するための手段】
【０００６】
本開示に係る乗客運搬装置のインナーデッキ取付方法は、乗客運搬装置の欄干部の下方側に設けられるインナーデッキ取付部に長尺のインナーデッキを取り付ける方法であって、欄干部に固定治具を取り付ける工程と、一方端に挟み部を有し、他方側に挟み操作部を有する挟み治具を用い、インナーデッキ取付部の取付ボルトを覆っているインナーパッキングである長尺の保護カバーの端部を挟み部で挟む工程と、固定治具と挟み治具の挟み操作部との間に接続紐を接続し、挟み治具を上方側に引き上げることで保護カバーの端部を持ち上げて取付ボルトを露出させる工程と、取付ボルトに、インナーデッキのボルト嵌込溝を嵌め込む工程と、取付ボルトを締め付けてインナーデッキをインナーデッキ取付部に固定する工程と、を含む。
【０００７】
上記構成によれば、欄干部に取り付けられた固定治具と、保護カバーの端部を挟む挟み治具との間が接続紐で接続され、挟み治具が上方側に引き上げられる。これによって、保護カバーが安定して上方側に引き上げられるので、インナーデッキの取付作業における保護カバーの倒れ込みが抑制され、取付作業性が向上する。
本開示に係る乗客運搬装置のインナーデッキ取付方法は、乗客運搬装置の欄干部の下方側に設けられるインナーデッキ取付部に長尺のインナーデッキを取り付ける方法であって、欄干部の上方側に設けられる手摺の外形形状に対応する内面形状を有する手摺側固定部を手摺の外形形状に係合させて配置する工程と、一方端に挟み部を有し、他方側に挟み操作部を有する挟み治具を用い、インナーデッキ取付部の取付ボルトを覆っているインナーパッキングである長尺の保護カバーの端部を挟み部で挟む工程と、手摺側固定部と挟み治具の挟み操作部との間に、紐長さ調整部付きの接続紐を接続する工程と、接続紐の紐長さ調整部を操作して挟み治具を上方側に引き上げることで保護カバーの端部を持ち上げて取付ボルトを露出させる工程と、取付ボルトに、インナーデッキのボルト嵌込溝を嵌め込む工程と、取付ボルトを締め付けてインナーデッキをインナーデッキ取付部に固定する工程と、を含む。
【０００８】
上記構成によれば、保護カバーの端部を挟む挟み治具と、欄干部の上部の手摺に係合して配置される手摺側固定部との間が接続紐で接続され、接続紐の長さを調整できる。これによって、安定して保護カバーが上方側に引き上げられるので、インナーデッキの取付作業における保護カバーの倒れ込みが抑制され、取付作業性が向上する。
【０００９】
本開示に係る乗客運搬装置のインナーデッキ取付方法において、インナーデッキは、少なくとも１つの長尺部材で構成され、１つの長尺部材は長手方向に沿った複数の溝配置箇所にボルト嵌込溝がそれぞれ配置され、欄干部の下方側には、複数の溝配置箇所に対応する複数のボルト配置箇所に取付ボルトがそれぞれ設けられ、手摺側固定部を配置する工程は、複数のボルト配置箇所に対応して、手摺の長手方向に沿って複数の手摺側固定部を配置し、挟み部でつかむ工程は、複数のボルト配置箇所のそれぞれにおいて、複数の挟み治具を用いて長尺の保護カバーについて複数個所を挟み、接続紐を接続する工程は、複数のボルト配置箇所のそれぞれに対応する挟み治具の挟み操作部と手摺側固定部とをそれぞれ接続紐で接続し、取付ボルトを露出させる工程は、複数のボルト配置箇所のそれぞれに対応する接続紐の紐長さ調整部を調整して、複数のボルト取付箇所における取付ボルトを露出させ、ボルト嵌込溝を嵌め込む工程は、一人の作業員が１つの長尺部材を両手で持って、複数のボルト配置箇所の全部について、取付ボルトにそれぞれボルト嵌込溝を一度に嵌め込む工程であることが好ましい。
【００１０】
乗客運搬装置の走行距離が長い場合、インナーデッキは複数の長尺部材で構成される。インナーデッキの取付作業は、１つ１つの長尺部材の取付作業となる。長尺部材が複数の溝配置箇所にボルト嵌込溝を有している場合、欄干部の下部には、複数の溝配置箇所に対応して複数のボルト取付箇所が設けられる。上記構成によれば、複数のボルト取付箇所に対応して、手摺には複数の手摺側固定部が係合され、長尺の保護カバーは、複数個所の端部が挟み治具で挟まれ、手摺側固定部と挟み治具とが取付紐で接続される。取付紐の長さを調整することで、安定して保護カバーの複数個所の端部が上方側に引き上げられる。これによって、作業者は一人で長尺部材を両手で持ち、複数のボルト配置箇所の全部について、取付ボルトにそれぞれボルト嵌込溝を一度に嵌め込むことができ、取付作業性が向上する。
【００１１】
本開示に係る乗客運搬装置のインナーデッキの取付作業支援治具は、乗客運搬装置の欄干部の下方側に設けられるインナーデッキ取付部に、取付ボルトを用いて取り付けられるインナーデッキの取付作業において、インナーデッキ取付部の取付ボルトを覆っているインナーパッキングである長尺の保護カバーの端部を持ち上げて取付ボルトを露出させるための支援治具であって、保護カバーの端部を挟むための挟み部を一方端に有し、他方側に挟み操作部を有する挟み治具と、欄干部に取り付けられた固定治具と、固定治具と挟み治具の挟み操作部との間に設けられた接続紐と、接続紐の紐長さ調整部であって、挟み治具を欄干部の上方側に引き上げて保護カバーの端部を持ち上げ取付ボルトを露出させる状態の紐長さとする調整機構を有する紐長さ調整部と、を含む。
【００１２】
上記構成によれば、インナーデッキの取付作業支援治具として、欄干部に取り付けられた固定治具と、保護カバーの端部を挟むための挟み治具と、固定治具と挟み治具を接続する接続紐と、接続紐の紐長さ調整部と、を一組として用いることができる。これらを用いて、保護カバーを安定して上方側に引き上げることが可能になるので、インナーデッキの取付作業における保護カバーの倒れ込みが抑制され、取付作業性が向上する。
【００１３】
本開示に係る乗客運搬装置のインナーデッキの取付作業支援治具において、欄干部の上方側の手摺の外形形状に対応する内面形状を有する手摺側固定部であることが好ましい。
【００１４】
上記構成によれば、手摺に手摺側固定部をしっかりと係合することが可能になり、安定して保護カバーを上方側に引き上げることが可能になるので、インナーデッキの取付作業における保護カバーの倒れ込みが抑制され、取付作業性が向上する。
【００１５】
本開示に係る乗客運搬装置のインナーデッキの取付作業支援治具において、手摺側固定部の内面形状は、手摺におけるインナーデッキ側の側面の外形形状との係合代は、インナーデッキ側と反対側の側面の外形形状の係合代よりも小さく設定されていることが好ましい。
【００１６】
上記構成によれば、手摺側固定部と手摺との間の係合代が、インナーデッキ側とその反対側とで異なる。そこで、係合代の大きい側を先に手摺に嵌め込み、次に係合代の小さい側を嵌め込むことで、手摺側固定部の嵌め込みが容易になる。
【００１７】
本開示に係る乗客運搬装置のインナーデッキの取付作業支援治具は、乗客運搬装置の欄干部の下方側に設けられるインナーデッキ取付部に、取付ボルトを用いて取り付けられるインナーデッキの取付作業において、インナーデッキ取付部の取付ボルトを覆っているインナーパッキングである長尺の保護カバーの端部を持ち上げて取付ボルトを露出させるための支援治具であって、保護カバーの端部を挟むための挟み部を一方端に有し、他方側に挟み操作部を有する挟み治具と、欄干部に対し吸着及び脱着が自在な吸盤である固定治具と、固定治具と挟み治具の挟み操作部との間に設けられた接続紐と、を含む。
【００１８】
上記構成によれば、固定治具として、市販の吸盤を用いることができる。吸盤は、欄干部の任意の位置に取り付けることが可能であるので、接続紐は一定の長さに定めることができ、特別な紐長さ調整部を要しない。
【００１９】
本開示に係る乗客運搬装置のインナーデッキの取付作業支援治具において、挟み治具は、挟み状態を維持できる挟みロック機構付きのロッキングプライヤであることが好ましい。
【００２０】
上記構成によれば、市販のロッキングプライヤを用いることができるので、特別な挟み治具を製作することを要しない。
【発明の効果】
【００２１】
上記構成の乗客運搬装置のインナーデッキ取付方法、及び乗客運搬装置のインナーデッキの取付作業支援治具によれば、保護カバーの倒れ込みを抑制して、インナーデッキの取付作業性が向上する。
【図面の簡単な説明】
【００２２】
【図１】実施の形態に係る乗客運搬装置のインナーデッキ取付方法及び取付作業支援治具が適用されるエスカレーターを示す斜視図である。
【図２】図１のエスカレーターに、インナーデッキを取り付ける作業の一例を示す斜視図である。
【図３】実施の形態に係る乗客運搬装置のインナーデッキ取付方法の工程手順を示すフローチャートである。
【図４】図３の作業初期状態における欄干部の断面図である。
【図５】実施の形態に係る乗客運搬装置のインナーデッキ取付作業支援治具の内の手摺側固定部を示す図で、図５（ａ）は上面図であり、（ｂ）は（ａ）のＢ−Ｂ線に沿った断面図である。
【図６】図３の手摺側固定部の配置工程を示す図である。
【図７】実施の形態に係る乗客運搬装置のインナーデッキ取付作業支援治具の内の挟み治具を用いて、図３の保護カバーを挟む工程を示す図である。
【図８】実施の形態に係る乗客運搬装置のインナーデッキ取付作業支援治具の内の取付紐を用いて、図３の取付紐を接続する工程を示す図である。
【図９】実施の形態に係る乗客運搬装置のインナーデッキ取付作業支援治具の内の紐長さ調整部を用いて、図３の取付ボルトを露出させる工程を示す図である。
【図１０】図９における取付ボルトと、ボルト嵌込溝を有する長尺部材との関係を示す図で、図１０（ａ）は上面図であり、（ｂ）は（ａ）のＢ−Ｂ線に沿った断面図である。
【図１１】インナーデッキの取付状態を示す断面図である。
【図１２】固定治具の他の実施形態として吸盤を用いて保護カバーを持ち上げる例を示す斜視図である。
【発明を実施するための形態】
【００２３】
以下に図面を用いて本発明に係る実施の形態につき、詳細に説明する。以下では、乗客運搬装置として、建物の上方階と下方階との間で乗客を運搬するエスカレーターについて述べるが、これは説明のための例示である。建物の上方階と下方階の間に設けられずに、平坦面、あるいは小さな勾配面に沿って乗客を運搬する動く歩道等であってもよい。場合によっては、建物内でなく屋外に設置されてもよい。
【００２４】
以下では、インナーデッキを構成する１つの長尺部材が有する溝配置箇所の数を３つとし、１つの溝配置箇所にそれぞれ１つのボルト嵌込溝が設けられるものとするが、これは説明のための例示である。１つの長尺部材における溝配置箇所は複数であればよく、３つ以外の２つまたは４つ等であってもよい。また、１つの溝配置箇所に複数のボルト嵌込溝が設けられてもよい。また、１つの長尺部材に対応する複数のボルト配置箇所の数は３つで、１つのボルト配置箇所にそれぞれ１つの取付ボルトが設けられるとするが、これは、１つの長尺部材の溝配置箇所の数及びボルト配置箇所の数に対応させたに過ぎない。ボルト配置箇所の数及び取付ボルトの数は、溝配置箇所の数及びボルト嵌込溝の数に対応して設定される。
【００２５】
以下で述べる材質、寸法、形状等は、説明のための例示であって、乗客運搬装置のインナーデッキ取付方法、及び乗客運搬装置のインナーデッキの取付作業支援治具の仕様に応じて適宜変更が可能である。また、以下では、全ての図面において対応する要素には同一の符号を付し、重複する説明を省略する。
【００２６】
図１は、乗客運搬装置としてのエスカレーター１０の構成図である。エスカレーター１０は、建物１２の上方階に設けられる一方の乗降口１４から建物１２の図示しない下方階に設けられる他方の乗降口との間に設けられた複数のステップ１６で構成される移動通路１８に乗客を乗せて運搬する乗客運搬装置である。移動通路１８の左右両側には、それぞれ欄干部２０が配置される。以下の図では、左側の欄干部２０のみを示し、右側の欄干部の図示を省略する。以下の説明において、欄干部２０は、左側の欄干部２０を指す。
【００２７】
図１に、走行方向と上下方向と幅方向とを示す。走行方向は移動通路１８の移動方向であり、移動通路１８が静止した状態では、エスカレーター１０の上方階と下方階とを結ぶ斜行方向となる。走行方向の両側を区別するときは、上方階に向かう方向を一方側と呼び、下方階側に向かう方向を他方側と呼ぶ。上下方向は、建物１２について上方階側か下方階側かを区別する方向で、上方階側の方向が上方側で、下方階側の方向が下方側である。幅方向は、移動通路１８について左右を区別する方向で、下方階の乗降口から上方階の乗降口１４を見たときに、右方が右側の方向であり、左方が左側の方向である。以下の図においても同様である。
【００２８】
ステップ１６は、踏段とも踏み板とも呼ばれ、図示されていない無端移動装置に取り付けた乗客運搬用の移動板である。ステップ１６は、複数個が無端状に連結されて上方階の乗降口１４と下方階の乗降口との間を循環移動して移動通路１８として働く。ステップ１６の上面には、滑り止め等のために、ステップ１６の移動方向に平行な溝が設けられる（図示省略）。
【００２９】
欄干部２０は、ステップ１６の左側に立設される一組の内側板２２及び外側板２４と、内側板２２及び外側板２４の上部に設けられる手摺３０と、内側板２２及び外側板２４の下部に設けられるインナーデッキ４０を備える。さらに、インナーデッキ４０の下部にはスカートガード５６が設けられる。保護カバー６０は、インナーデッキ４０が欄干部２０の下部において取り付けられるインナーデッキ取付部７０（図２参照）を覆う部材である。
【００３０】
内側板２２は、内側パネルとも呼ばれる部材で、移動するステップ１６に立つ乗客に対し、左右の安全位置を規定する壁部である。図１では、透明な内側板２２を通して外側板２４が示される。外側板２４は、内側板２２と共に欄干部２０を構成し、上部の手摺３０を支持する部材である。内側板２２と外側板２４のそれぞれの下部は、デッキボード２６と呼ばれる下部板で支持される。内側板２２及び外側板２４は、板材等で構成される。板材としては、透明なアクリル板材が用いられる。アクリル板材に代えて透明ガラス板材を用いてもよい。透明な内側板２２と外側板２４との間の空間には、適当な照明具を配置することができる。エスカレーター１０の仕様によっては、内側板２２及び外側板２４を不透明な樹脂パネルや金属パネルで構成してもよい。
【００３１】
手摺３０は、欄干部２０の上方側で内側板２２及び外側板２４の上部に配置され、ステップ１６の移動に伴って移動する無端状のレール形状を有する移動手摺である。手摺３０は、例えば、上方階の乗降口１４の側から内側板２２及び外側板２４の上部を矢印で示す移動方向２１に移動し、下方階の乗降口の側において移動方向を反転して、内側板２２及び外側板２４の下方に設けられるデッキボード２６の下の空間に潜る。そして、デッキボード２６の下の空間の内部を下方階側から上方階側に移動し、上方階における乗降口１４でデッキボード２６の下の空間から外に出て、再び内側板２２及び外側板２４の上部を矢印で示す移動方向２１に移動する。乗客は、手摺３０を持つことで、移動するステップ１６に立つとき、姿勢等を安定したものに保持できる。
【００３２】
インナーデッキ４０は、内側板２２の下方に設けられ、デッキボード２６の下の空間において下方階の乗降口と上方階の乗降口１４側との間に配置される手摺３０の移動機構等を覆う長尺のカバー部材である。インナーデッキ４０は、移動通路１８の長さに応じて、少なくとも１つの長尺部材４２で構成される。移動通路１８が短いエスカレーター１０の場合には、１つの長尺部材４２で済むが、移動通路１８が長い場合は、例えば、１０を超える数の長尺部材４２でインナーデッキ４０の全体が構成される。インナーデッキ４０を構成する長尺部材４２は、適当な金属板を所定の形状に折り曲げて形成される。長尺部材４２の構成の詳細は後述する。
【００３３】
スカートガード５６は、インナーデッキ４０の下方に設けられ、ステップ１６の幅方向の側面に対し所定の隙間を空けて設けられる板部材である。スカートガード５６は、適当な金属板を所定の形状に折り曲げて形成される。
【００３４】
保護カバー６０は、欄干部２０の下部のインナーデッキ取付部７０を外部から保護し、さらに、移動通路１８の乗客に対して美観を損ねないように、欄干部２０の下部に沿ってインナーデッキ取付部７０を覆う長尺の部材である。保護カバー６０は、インナーデッキ４０が取り付けられた状態において、インナーデッキ４０と内側板２２との間の細長い隙間に埋め込まれる。埋め込みを容易に行うために、保護カバー６０は、柔軟で弾性を有する合成ゴム等の材質で構成される。
【００３５】
図２は、乗客運搬装置のインナーデッキの取付作業支援治具を用いて、乗客運搬装置のインナーデッキ取付方法を示す図である。以下では、乗客運搬装置のインナーデッキの取付作業支援治具、乗客運搬装置のインナーデッキ取付方法を、特に断らない限り、作業支援治具９０、インナーデッキ取付方法と呼ぶ。図２には、移動通路１８における作業者８が１つの長尺部材４２を両手で持って、欄干部２０の下方側のインナーデッキ取付部７０に取り付ける作業が示される。長尺部材４２の左端部には、インナーデッキ取付部７０に設けられる取付ボルト７８（図４参照）に嵌め込むためのボルト嵌込溝４４が設けられている。インナーデッキ取付部７０は保護カバー６０で覆われているので、取付作業においては、インナーデッキ取付部７０を作業者８が目視できるように、作業支援治具９０を用いて、保護カバー６０を持ち上げる。
【００３６】
保護カバー６０は長尺部材であるので、全長を持ち上げずに、取付作業に必要な限度で、複数個所の端部６２が持ち上げられる。持ち上げられる端部６２は、インナーデッキ取付部７０に対応する箇所の部分である。図２の例では、長尺部材４２のボルト嵌込溝４４が３箇所に配置されることに対応して、インナーデッキ取付部７０は３箇所に配置されるので、３組の作業支援治具９０を用いて、３箇所の端部６２が持ち上げられる。
【００３７】
作業支援治具９０は、取付作業中に保護カバー６０がインナーデッキ取付部７０の上に倒れ込まないように、端部６２をしっかりと挟んで、欄干部２０に固定する治具である。１組の作業支援治具９０は、１つの手摺側固定部１００、１つの挟み治具１１０、１つの接続紐１３０、及び１つの紐長さ調整部１４０で構成される。
【００３８】
以下に、作業支援治具９０と、インナーデッキ取付方法とについて、図３から図１１を用いて詳細に説明する。図３は、インナーデッキ取付方法の工程手順を示すフローチャートであり、図４から図１１は、各工程の内容を示す図である。作業支援治具９０の内、手摺側固定部１００については図５において、挟み治具１１０については図７において、接続紐１３０及び紐長さ調整部１４０については図８において、それぞれの構成を述べる。
【００３９】
図３において、インナーデッキ取付方法における最初の状態は、インナーデッキ４０を構成する長尺部材４２が欄干部２０にまだ取り付けられていない作業初期状態である（Ｓ１０）。図４は、作業初期状態における欄干部２０の断面図である。
【００４０】
欄干部２０の下部には、インナーデッキ取付部７０が設けられる。インナーデッキ取付部７０は、長尺部材４２の左端部を取り付ける左側取付部７２と、長尺部材４２の右端部を取り付ける右側取付部７４を含む。左側取付部７２、右側取付部７４は、エスカレーター１０の骨格部分であるトラス部（図示省略）に固定されて設けられる。インナーデッキ取付部７０は、長尺部材４２の左端部においてボルト嵌込溝４４が配置される溝配置箇所に対応して設けられる。例えば、図２に示すように、１つの長尺部材４２について、３つの溝配置箇所が設けられる場合は、３つの溝配置箇所に対応して、欄干部２０の下部において、３つの取付部配置箇所にインナーデッキ取付部７０が設けられる。
【００４１】
左側取付部７２は、取付部受板７６、取付ボルト７８、ナット８０、ボルトガイド板８１、及びワッシャ８２を含む。ボルトガイド板８１は、取付部受板７６の上面側から裏面側に回り込むＵ字型断面を有する部材で、上面側と裏面側に取付ボルト７８の軸部を通す長穴を有する（後述する図１０（ａ）の上面図を参照）。ボルトガイド板８１は、取付部受板７６に対し取付ボルト７８の配置位置を案内すると共に、取付部受板７６の裏面側に配置されるナット８０が脱落しないように保持する。取付ボルト７８は、おねじ部を有する軸部と、頭部とを有するビスである。ワッシャ８２は、取付ボルト７８の頭部と、ボルトガイド板８１の上面との間に配置される。ナット８０は、取付部受板７６の裏面とボルトガイド板８１との間に保持されて配置される。図４における作業初期状態では、取付ボルト７８は、ナット８０に対し予め緩められた状態で、ワッシャ８２とボルトガイド板８１を介した取付部受板７６との間には隙間がある状態である。なお、作業初期状態において取付ボルト７８とナット８０とがしっかり固定されていてもよい。その場合には、後述するＳ２０の工程において、まず、取付ボルト７８がナット８０に対し緩められる。
【００４２】
右側取付部７４は、固定板部８４、押え板ばね８６、及びばね固定ボルト８８を含む。固定板部８４は、スカートガード５６と互いに固定される。押え板ばね８６は、一端がばね固定ボルト８８によって固定板部８４に固定される固定端で、他端は、スカートガード５６を介して固定板部８４の上面に配置される自由端である。自由端の部分は、右側に向かって上方側に跳ね上がる曲り形状を有し、これによって付勢力が発生する。作業初期状態では、押え板ばね８６の自由端における底部は、スカートガード５６を介して固定板部８４の上面に付勢力で押し付けられた状態である。
【００４３】
保護カバー６０は、一端が欄干部２０の内側板２２に固定され、他端は、内側板２２から離れて上方側で右側に曲る形状を有する。作業初期状態では、保護カバー６０の他端の曲り部分は、左側取付部７２の取付ボルト７８を覆った状態である。
【００４４】
図３に戻り、取付作業としての最初の工程は、固定治具配置工程である（Ｓ１２）。固定治具は、保護カバー６０の端部６２を挟んだ状態の挟み治具１１０を上方側に引き上げて欄干部２０に固定する治具である。ここでは、固定治具として、手摺側固定部１００が用いられる。
【００４５】
図５は、手摺側固定部１００を示す図である。図５（ａ）は上面図であり、（ｂ）は、（ａ）のＢ−Ｂ線に沿った断面図である。手摺側固定部１００は、手摺３０の外形形状に対応する内面形状を有する本体部１０２と、本体部１０２の裏側に配置される保護部材１０４とで構成される。本体部１０２は、手摺３０の外形に沿って嵌め込むことで固定される形状と材質を有する部材である。本体部１０２の材質としては、ある程度の力で撓み、反発力で元の形状に復帰する軟質の樹脂材料が用いられる。かかる樹脂材料としては、軟質のポリエチレン樹脂が用いられる。保護部材１０４は、手摺側固定部１００を手摺３０に取り付ける場合に、手摺３０を損傷しないように保護するために設けられる。かかる保護部材１０４としては、低反発力の弾性を有するスポンジが用いられる。スポンジの材質としては、発泡ウレタン樹脂が用いられる。上記の材質は、説明のための例示であって、これ以外の適当な特性を有する樹脂材料を用いてよい。
【００４６】
本体部１０２の断面形状は、自然状態で手摺３０の外形に倣って包み込むように覆う形状を有する。手摺３０の断面形状は左右対称形であるが、本体部１０２の断面形状は左右非対称で、左側の湾曲部の深さＤＬが右側の湾曲部の深さＤＲよりも深く設定される。湾曲部の深さＤＬ，ＤＲは、手摺３０に対する本体部１０２の係合代に相当するので、本体部１０２は、手摺３０の左側に深く係合し、右側で浅く係合する。本体部１０２の右側はほぼ水平に延びる縁部となり、接続紐１３０を通す穴部１０６が設けられる。
【００４７】
図６は、固定治具配置工程（Ｓ１２）として、手摺側固定部１００を手摺３０に嵌め込んで配置する工程の途中を示す図である。手摺側固定部１００を手摺３０に嵌め込む手順としては、係合代が大きい湾曲部の深さＤＬを有する左側を先に手摺３０の左側面に宛がい、図６において矢印で示す方向に下方側に押すようにして嵌め込む。右側の湾曲部の深さＤＲはＤＬよりも小さいので、軽い力で押すだけで手摺側固定部１００の右側は簡単に下方側に移動し、手摺側固定部１００は手摺３０に装着される。手摺側固定部１００の右側に設けられる穴部１０６には接続紐１３０（図８参照）が通されて、二点鎖線で示すように下方側に力Ｆで引っ張られる。これにより、手摺側固定部１００は、左側の深い湾曲部で手摺３０の外形にしっかりと係合し手摺３０に固定されて外れにくい状態となる。
【００４８】
図３に戻って、Ｓ１４では、挟み治具１１０を用い、保護カバー６０の端部６２を挟む。Ｓ１２とＳ１４の手順は、いずれを先にしてもよい。図７に、Ｓ１４の工程の内容を示す。挟み治具１１０は、一方端に挟み部１１２を有し、他方側に挟み操作部１１４を有するプライヤで、ロック部１１６とロック解除部１１８とを有する。挟み操作部１１４には、接続紐１３０を通すための穴部１２０が設けられる。
【００４９】
作業者８は、ロック解除部１１８を操作して挟み部１１２を開き、挟み部１１２の向かい合う開口に保護カバー６０の端部６２を挿入する。そして、挟み操作部１１４を操作して挟み部１１２の向い合う開口を縮め、端部６２を挟み部１１２でしっかり挟み、ロック解除部１１８を元に戻し、ロック部１１６を働かせる。これにより、保護カバー６０の端部６２は、挟み部１１２によってしっかり挟み込まれ、ロック部１１６の作用によって挟み部１１２から外れることがない。挟み部１１２の向かい合う開口は、保護カバー６０をしっかり挟めるように、適当な挟み面積と、挟み抵抗を大きくするために適当な凹凸を設けることが好ましい。適当な挟み面積における走行方向に沿った挟み幅の一例を挙げると、約３０ｍｍである。これは説明のための例示であって、保護カバー６０を持ち上げた状態における重さや剛性等に応じて適宜変更される。かかる挟み治具１１０としては、汎用的に市販されている挟みロック機構付きのロッキングプライヤを用いることができる。
【００５０】
Ｓ１２とＳ１４の工程が終わると、次に、手摺側固定部１００の穴部１０６と、挟み治具１１０の穴部１２０との間を接続紐１３０で接続する（Ｓ１６）。接続紐１３０としては、適当な強度を有する作業用紐が用いられる。接続紐１３０には、紐長さ調整部１４０が設けられる。図８に、紐長さ調整部１４０が設けられた接続紐１３０の接続状態を示す。接続紐１３０は、手摺側固定部１００の穴部１０６と、挟み治具１１０の穴部１２０とを通り、無端状の環状形状に結ばれる。接続紐１３０の無端状の往部分１３２と復部分１３４が紐長さ調整部１４０に通される。紐長さ調整部１４０は、ケース体１４２、ケース体１４２に設けられた長穴ガイド１４４、及び、長穴ガイド１４４に沿って移動可能な歯車体１４６を備える。ケース体１４２は、一方側が幅広で他方側が幅狭の形状を有する筒体で、筒体の内壁面と歯車体１４６との間に、無端状の接続紐１３０の往部分１３２と復部分１３４が通される。紐長さ調整部１４０のケース体１４２の内部において、往部分１３２と復部分１３４とは、歯車体１４６を挟んで、互いに反対側の内壁面側を通される。
【００５１】
上記構成の紐長さ調整部１４０の作用は以下の通りである。図８に示すように、長穴ガイド１４４に沿ってケース体１４２の幅広側に歯車体１４６が移動している場合には、歯車体１４６とケース体１４２に内壁面との間に十分な隙間があり、接続紐１３０の往部分１３２も復部分１３４も自由に動ける。これに対し、長穴ガイド１４４に沿ってケース体１４２の幅狭側に歯車体１４６を移動させると、歯車体１４６とケース体１４２の内壁面との間の隙間が狭くなって、接続紐１３０の往部分１３２も復部分１３４も移動できない状態となり、紐長さが固定される。このように、歯車体１４６を長穴ガイド１４４に沿って移動させることで、接続紐１３０を自由状態から固定状態にできる。自由状態の場合に、接続紐１３０に対し紐長さ調整部１４０を移動させて、手摺側固定部１００の穴部１０６と挟み治具１１０の穴部１２０との間の紐長さを短くし、所望の紐長さとした状態で歯車体１４６をケース体１４２の幅狭の方向に移動させる。これによって、接続紐１３０において、手摺側固定部１００の穴部１０６と挟み治具１１０の穴部１２０との間の紐長さを所望の紐長さとできる。このようにして、接続紐１３０の紐長さ調整を行うことができる。
【００５２】
上記の紐長さ調整部１４０の構成は、説明のための例示であって、これ以外の構成を用いてもよい。例えば、接続紐１３０の一方端と他方端とを固定できる適当なクリップ機構を紐長さ調整部１４０として用いてもよい。
【００５３】
Ｓ１６の次は、手摺側固定部１００の穴部１０６と挟み治具１１０の穴部１２０との間の紐長さを調整して挟み治具１１０を上方側に持ち上げることで、保護カバー６０の端部６２を上方側に持ち上げ、取付ボルト７８を露出させる（Ｓ１８）。紐長さ調整部１４０を用いて保護カバー６０の端部６２を持ち上げた状態を図９に示す。ここでは、紐長さ調整部１４０の歯車体１４６がケース体１４２の幅狭の方向に移動しており、保護カバー６０の端部６２が上方側に持ち上げられた状態で接続紐１３０の紐長さが固定される。保護カバー６０の端部６２が上方側に持ち上げられたことで、インナーデッキ取付部７０の左側取付部７２が保護カバー６０に覆われた状態から開放され、取付ボルト７８が露出する。この状態で、作業者８は、取付ボルト７８を目視できるようになるので、長尺部材４２をインナーデッキ取付部７０に正しく取り付けることが可能になる。
【００５４】
図１０は、取付ボルト７８が露出した状態において、左側取付部７２と、長尺部材４２のボルト嵌込溝４４との配置関係を示す図である。図１０（ａ）は上面図であり、（ｂ）は（ａ）のＢ−Ｂ線に沿った断面図である。（ｂ）に示すように、長尺部材４２は、断面形状において、エスカレーター１０の移動通路１８側に配置されるデッキ部４６を有する。また、デッキ部４６の左端から下方側に折れ曲がり所定の縦壁長さとなった後に左側に折れ曲がる左端部４８を有する。さらに、デッキ部４６の右端から下方側に折れ曲がり所定の縦壁長さとなった後に左側に折れ曲がる右端部５０を有する。
【００５５】
ボルト嵌込溝４４は、長尺部材４２の左端部４８の溝配置箇所に設けられる。１つの長尺部材４２には、３箇所の溝配置箇所が設けられ、１つの溝配置箇所に１つのボルト嵌込溝４４が設けられる。１つの長尺部材４２における溝配置箇所が３つ、１つの溝配置箇所におけるボルト嵌込溝４４が１つというのは、説明のための例示であって、長尺部材４２の長手方向の寸法に応じて適宜変更してよい。ボルト嵌込溝４４は、長尺部材４２の左端部４８の左縁に溝開口部を有するＵ字状の切欠溝である。ボルト嵌込溝４４の溝幅は、左側取付部７２の取付ボルト７８の軸部の外径よりも大きく、頭部の外径及びワッシャ８２の外径よりも小さく設定される。
【００５６】
左側取付部７２は、欄干部２０の下部において、長尺部材４２の溝配置箇所の数に対応する数の取付部配置箇所に設けられる。上記の例において溝配置箇所は３箇所であるので、取付部配置箇所は３箇所である。取付部配置箇所は、取付ボルト７８を配置するボルト配置箇所でもあるので、１つの長尺部材４２に対するボルト配置箇所は３箇所である。１つのボルト配置箇所には、ボルト嵌込溝４４の数に対応する数の取付ボルト７８が設けられる。上記の例において１つの溝配置箇所についてボルト嵌込溝４４の数は１であるので、１つのボルト配置箇所には１つの取付ボルト７８が設けられる。１つの長尺部材４２におけるボルト配置箇所が３つ、１つのボルト配置箇所における取付ボルト７８が１つというのは、説明のための例示であって、長尺部材４２の溝配置箇所の数、ボルト嵌込溝４４の数の設定に応じて適宜変更される。
【００５７】
左側取付部７２において、（ｂ）の断面図の概要は図４で述べたので、（ａ）の上面図と関連する点について補足し、それ以外の詳細な説明は省略する。（ａ）の上面図に示されるように、取付部受板７６には、走行方向に平行な長穴７９，８３が設けられる。長穴７９には、ナット８０の上部外形が嵌め込まれ、これによって、取付部受板７６において、取付ボルト７８とナット８０は一体となって走行方向に沿って移動可能となる。長穴８３は、取付ボルト７８の走行方向に沿った移動に伴ってボルトガイド板８１が移動できるように設けられる。したがって、取付ボルト７８がナット８０に対し緩められている状態においては、取付ボルト７８及びナット８０の長穴７９に対する位置はまだ定まっていない。
【００５８】
図３に戻り、長尺部材４２をインナーデッキ取付部７０に取り付ける場合、作業者８は、長尺部材４２を両手で持って、ボルト嵌込溝４４を、まだ位置が定まっていない取付ボルト７８及びナット８０の現在位置に合わせて嵌め込む（Ｓ２０）。嵌め込み方向を、図１０（ａ），（ｂ）の白抜矢印で示す。幅方向については、図１０（ａ）に示すように左側に移動させる。上下方向については、図１０（ｂ）の白抜矢印で示すように、長尺部材４２の左端部４８の板厚が、ワッシャ８２の下面とボルトガイド板８１の上面との隙間に入るように合わせる。長尺部材４２には、３箇所のボルト嵌込溝４４が設けられるので、作業者８は、３箇所のボルト嵌込溝４４について、それぞれに対応する取付ボルト７８に対する位置合わせを同時に、一度に行う必要がある。位置合わせが正しくないと、取付ボルト７８、ナット８０、ボルト嵌込溝４４等の損傷が生じ得るので、作業者８は、長尺部材４２を両手で持ち、取付ボルト７８の位置を目視で確認しながら、取付作業を行う。図２は、その位置合わせを行いながらの取付作業を示す図である。
【００５９】
Ｓ２０の嵌込工程において、長尺部材４２の右端部５０は、インナーデッキ取付部７０の右側取付部７４の押え板ばね８６と、スカートガード５６を介した固定板部８４との間に挿入される。長尺部材４２の右端部５０は、押え板ばね８６の付勢力によって、スカートガード５６を介した固定板部８４側にしっかりと固定される。
【００６０】
Ｓ２０の嵌込工程が済むと、取付ボルト７８をドライバー等を用いて締め付ける（Ｓ２２）。これによって、長尺部材４２の左端部４８が左側取付部７２に固定され、右端部５０は、右側取付部７４に固定される。そこで、３組の作業支援治具９０の取外しが行われ（Ｓ２４）、長尺部材４２の取付作業が終了する。インナーデッキ４０が複数の長尺部材４２で構成される場合は、上記の手順を全ての長尺部材４２について繰り返すことで、インナーデッキ４０の取付作業が完了する。図１１は、インナーデッキ４０の取付作業が完了した状態の欄干部２０を示す図である。
【００６１】
上記では、固定治具として、手摺側固定部１００を用いたが、これに代えて、吸盤１５０を用いることができる。図１２は、図２に対応する図で、固定治具として吸盤１５０も用いる作業支援治具９２を示す。吸盤１５０は、欄干部２０の内側板２２に対し吸着及び脱着が自在な吸盤で、汎用的な市販品を用いることができる。吸盤１５０は、内側板２２の任意の場所に吸着させて配置できるので、接続紐１３０は、吸盤１５０と挟み治具１１０との間を一定の長さで接続すればよく、特別な紐長さ調整部１４０を必要としない。
【００６２】
上記構成の乗客運搬装置のインナーデッキ取付方法、及び乗客運搬装置のインナーデッキの取付作業支援治具によれば、保護カバー６０の端部６２を挟む挟み治具１１０と、欄干部２０側の固定治具との間が接続紐１３０で接続される。これによって、安定して保護カバー６０の端部６２が上方側に引き上げられるので、インナーデッキ４０の取付作業における保護カバー６０の倒れ込みが抑制され、取付作業性が向上する。
【符号の説明】
【００６３】
８  作業者、１０  エスカレーター（乗客運搬装置）、１２  建物、１４  （上方階の）乗降口、１６  ステップ、１８  移動通路、２０  欄干部、２１  （手摺の）移動方向、２２  内側板、２４  外側板、２６  デッキボード、３０  手摺、４０  インナーデッキ、４２  長尺部材、４４  ボルト嵌込溝、４６  デッキ部、４８  左端部、５０  右端部、５６  スカートガード、６０  保護カバー、６２  （保護カバーの）端部、７０  インナーデッキ取付部、７２  左側取付部、７４  右側取付部、７６  取付部受板、７８  取付ボルト、７９，８３  長穴、８０  ナット、８１  ボルトガイド板、８２  ワッシャ、８４  固定板部、８６  押え板ばね、８８  固定ボルト、９０，９２  （インナーデッキの取付）作業支援治具、１００  手摺側固定部、１０２  本体部、１０４  保護部材、１０６，１２０  穴部、１１０  挟み治具、１１２  挟み部、１１４  挟み操作部、１１６  ロック部、１１８  ロック解除部、１３０  接続紐、１３２  往部分、１３４  復部分、１４０  紐長さ調整部、１４２  ケース体、１４４  長穴ガイド、１４６  歯車体、１５０  吸盤。
【図１】
2019218191.tif 000003
【図２】
2019218191.tif 000004
【図３】
2019218191.tif 000005
【図４】
2019218191.tif 000006
【図５】
2019218191.tif 000007
【図６】
2019218191.tif 000008
【図７】
2019218191.tif 000009
【図８】
2019218191.tif 000010
【図９】
2019218191.tif 000011
【図１０】
2019218191.tif 000012
【図１１】
2019218191.tif 000013
【図１２】
2019218191.tif 000014